(57)【要約】本発明は、既存の照明製品が、１つの光源によって、一部分だけを照らすように制限されるのを改善させて、複数個のＬＥＤ光源から出る光を１つに集めて、光ケーブルを用いて所望の個所に光を送って発光焦点を形成できるように、本体、ＬＥＤモジュール、マルチ光ファイバ、光ケーブルアダプタ、照度用光ケーブル、集光レンズ部で構成されることで、複数個の光源を集めて１つの光として照射することができ、遠い距離でも必要な照度を確保することができ、集光レンズの光源角度を調整して、所望の距離で、所望の照度及び配光特性が得られるように調節することができて、博物館の照明、プールの照明、建物外壁の照明、床照明、橋梁外部の照明、半導体工程用の照明、病院の手術用の照明に互換させて広く使用することのできる、マルチ光ケーブルを用いるＬＥＤ集光装置を提供することにその目的がある。【選択図】図１
2013506230.tif 000002
【特許請求の範囲】
【請求項１】
四角箱状の本体（１００）と、
本体の内部に複数個で形成されて、光源を発生させるＬＥＤモジュール（２００）と、
ＬＥＤモジュールの発光素子に一対一に直接連結されて、複数個のＬＥＤから出る光を光ケーブルアダプタに伝達するマルチ光ファイバ（３００）と、
一側が複数個のマルチ光ファイバと連結され、他側が照度用光ケーブルと連結されて、マルチ光ケーブルから出る複数個の光を集めて、照度用光ケーブルに伝達する光ケーブルアダプタ（４００）と、
光ケーブルアダプタと連結されて、光ケーブルアダプタから光を受けて１つの光に集めた後、集光レンズに送る照度用光ケーブル（５００）と、
照度用光ケーブルの先端と長さ方向に沿って同一線上に離隔距離を置いて設けられ、集光レンズを通じて、照度用光ケーブルから拡散する光を集光し、発光させようとする特定位置に焦点を生成させ、集光レンズのフォーカス及びズーム調整を通じて焦点角度を調節する集光レンズ調整部（６００）と、で構成されることを特徴とする、マルチ光ケーブルを用いるＬＥＤ集光装置。
【請求項２】
ＬＥＤモジュール（２００）は、高輝度の発光ＬＥＤが発光する先端周縁に沿って取り囲みながら設置されて、周囲へ反射される光を、中央に形成された挿入孔に集め、集められた光を、挿入孔に挿入されるマルチ光ファイバの挿入チューブ側に伝達させるように誘導すると共に、挿入チューブが揺れないように支持するＬＥＤ集光ヘッドキャップが構成されることを特徴とする、請求項１に記載のマルチ光ケーブルを用いるＬＥＤ集光装置。
【請求項３】
マルチ光ファイバ（３００）は、ＬＥＤモジュールのＬＥＤ集光ヘッドキャップと接触する端部一側に、ＬＥＤ集光ヘッドキャップの挿入孔に挿入されるように、円形状の挿入チューブが形成されることを特徴とする、請求項１に記載のマルチ光ケーブルを用いるＬＥＤ集光装置。
【請求項４】
集光レンズ調整部（６００）は、
集光レンズカバー部（６１０）の外周面に結合されて回転可能なように、前記集光レンズカバー部（６１０）の外周面の周縁に対応する大きさの円形リング状に形成され、その内周面には、フォーカス調節リングの第１案内孔を通じて、前記集光レンズハウジングの外部に突出したフォーカス調節ロッドが結合されるように、凹状の結合溝が形成されたフォーカス調節リング（６１２）が含まれて構成されることを特徴とする、請求項１に記載のマルチ光ケーブルを用いるＬＥＤ集光装置。
【請求項５】
集光レンズ調整部（６００）は、
照度用光ケーブルから拡散する光を集光し、発光させようとする特定位置に焦点を生成させる集光レンズハウジング（６２０）を含んで構成されることを特徴とする、請求項１に記載のマルチ光ケーブルを用いるＬＥＤ集光装置。
【請求項６】
集光レンズハウジング（６２０）は、
集光レンズの焦点を調節するフォーカス調節部（６２１）と、
ズーム調節ロッドの回転によって水平方向に前進及び後進しながら、一側に連結されたフォーカス調節部自体を前進及び後進させて、焦点の大きさが拡大または縮小されるように調節する円筒ドラム型の水平移動部（６２２）と、で構成されることを特徴とする、請求項５に記載のマルチ光ケーブルを用いるＬＥＤ集光装置。
【発明の詳細な説明】
【技術分野】
【０００１】
本発明は、複数個の光源から出る光を１つに集め、光ケーブルを用いて所望の個所に送って発光焦点を形成することができて、博物館、プール、建物外壁、床、橋梁外部、半導体工程用の照明、病院の手術用の照明などに広く使用できる、マルチ光ケーブルを用いるＬＥＤ集光装置に関するものである。
【背景技術】
【０００２】
一般に、室内または室外の照明灯として電球や蛍光灯が多く使われているが、このような電球や蛍光灯は、寿命が短くて、よく取り替えを行わなければならないという問題がある。
【０００３】
また、従来の蛍光灯は、その使用時間の経過に伴う劣化によって、照度がだんだん低下する現象が過度に発生するという問題がある。
【０００４】
このような問題を解決するための照明器具としてＬＥＤを使用することが開発されている。ＬＥＤは、その優れた制御性、速い応答速度、高い電気−光変換効率、長い寿命、少ない消費電力及び高い輝度の特性がある。
【０００５】
従来のＬＥＤを用いた照明器具は、各ＬＥＤから放射される光が、ＬＥＤから直接拡散して照明空間に放射されるため、拡散経路上で光の減衰が生じて、自動車の高さ程度の照明空間では、照度が十分に確保されないという問題があった。
【０００６】
すなわち、ＬＥＤは出力が弱いため、光の拡散距離が長くなる場合、所望の照明空間で満足できるほどの照度を得られないという問題があった。
【０００７】
最近、このような問題を解決するために、高出力のＬＥＤを適用した照明器具が開発されている。しかし、このような高出力のＬＥＤを用いた照明器具は、照明空間での照度は満足させることができるが、ＬＥＤから高熱が発生するため、これを放熱するために、放熱ピン及び送風ファンを含む複雑な構造の放熱装置が別途に要求される。そのため、製品単価が上昇し、電気効率が低下して実用化が難しいという問題があった。
【０００８】
また、何よりも、既存のＬＥＤ照明製品が、１つの光源のみで構成されて、一部分だけを照らすように制限されるので、照度率が電球や蛍光灯に比べて顕著に低下し、ＬＥＤと集光レンズの光源距離を調節する技術手段がないので、ユーザーが所望の距離で、所望の照度及び配光特性が得られるように調節できないという問題点があった。
【発明の概要】
【発明が解決しようとする課題】
【０００９】
上記の問題点を解決するために、本発明では、複数個の光源を集めて１つの光として照射することができ、遠い距離でも必要な照度を確保することができ、集光レンズの光源角度を調整して、所望の距離で、所望の照度及び配光特性が得られるように調節することができて、博物館の照明、プールの照明、建物外壁の照明、床照明、橋梁外部の照明、半導体工程用の照明、病院の手術用の照明に互換させて広く使用することのできる、マルチ光ケーブルを用いるＬＥＤ集光装置を提供することにその目的がある。
【課題を解決するための手段】
【００１０】
上記の目的を達成するために、本発明によるマルチ光ケーブルを用いるＬＥＤ集光装置は、四角箱状の本体１００と；本体の内部に複数個で形成されて、光源を発生させるＬＥＤモジュール２００と；ＬＥＤモジュールの発光素子に一対一に直接連結されて、複数個のＬＥＤから出る光を光ケーブルアダプタに伝達するマルチ光ファイバ３００と；一側が複数個のマルチ光ファイバと連結され、他側が照度用光ケーブルと連結されて、マルチ光ケーブルから出る複数個の光を集めて、照度用光ケーブルに伝達する光ケーブルアダプタ４００と；光ケーブルアダプタと連結されて、光ケーブルアダプタから光を受けて１つの光に集めた後、集光レンズに送る照度用光ケーブル５００と；照度用光ケーブルの先端と長さ方向に沿って同一線上に離隔距離を置いて設けられ、集光レンズを通じて、照度用光ケーブルから拡散する光を集光し、発光させようとする特定位置に焦点を生成させ、集光レンズのフォーカス及びズーム調整を通じて焦点角度を調節する集光レンズ調整部６００と；で構成される。
【発明の効果】
【００１１】
以上で説明したように、本発明では、複数個の光源を集めて１つの光に照射することができるので、遠い距離でも必要な照度を確保することができ、既存のＬＥＤランプの使用範囲をより一層アップグレードすることができ、既存の博物館の照明、プールの照明、建物外壁の照明、床照明、橋梁外部の照明、半導体工程用の照明、病院の手術用の照明と互換させて使用できるという優れた効果がある。
【図面の簡単な説明】
【００１２】
【図１】本発明によるマルチ光ケーブルを用いるＬＥＤ集光装置の構成要素を示す斜視図である。
【図２】本発明によるマルチ光ケーブルを用いるＬＥＤ集光装置の構成要素を示す内部斜視図である。
【図３】本発明によるマルチ光ケーブルを用いるＬＥＤ集光装置の構成要素を示す内部断面図である。
【図４】本発明によるマルチ光ファイバ３００の先端に形成された円形状の挿入チューブ３１０にＬＥＤ集光ヘッドキャップ２３０が結合されることを示す一実施例図である。
【図５】本発明による集光レンズ調整部６００を示す斜視図である。
【図６】本発明による集光レンズ調整部６００の構成要素を示す分解斜視図である。
【図７】本発明による集光レンズ調整部６００の構成要素を示す内部断面図である。
【図８】本発明による光ケーブルアダプタと連結されて、光ケーブルアダプタから光を受けて１つの光に集めた後に集光レンズに送る、照度用光ケーブル５００が連結されることを示す一実施例図である。
【図９】本発明による集光レンズを通じて、照度用光ケーブルから拡散する光を集光し、発光させようとする特定位置に焦点を生成することを示す一実施例図である。
【図１０】本発明によるマルチ光ケーブルを用いるＬＥＤ集光装置が天井に埋め込まれて、室内照明として応用して使用されることを示す一実施例図である。
【発明を実施するための形態】
【００１３】
以下、本発明による好適な実施例を、図面を添付して詳細に説明する。
【００１４】
図１は、本発明によるマルチ光ケーブルを用いるＬＥＤ集光装置の構成要素を示す斜視図であり、これは、本体１００、ＬＥＤモジュール２００、マルチ光ファイバ３００、光ケーブルアダプタ４００、照度用光ケーブル５００、集光レンズ調整部６００で構成される。
【００１５】
まず、本発明による本体１００について説明する。
【００１６】
前記本体１００は、四角箱状にスリムに形成されて、各機器を外部の衝撃から保護する役割を果たすもので、これは、アルミニウム合金または熱硬化性プラスチック材質からなる。
【００１７】
本発明による本体の内部には、複数個のＬＥＤモジュールが内蔵され、ＬＥＤモジュールの後端一側に、ＬＥＤモジュールの高輝度の発光ＬＥＤから発生する高熱を冷却させる冷却手段１１０が構成される。
【００１８】
そして、ＬＥＤモジュールの先端一側に形成されたＬＥＤ集光ヘッドキャップに対応するように、マルチ光ファイバが複数個で光ケーブルアダプタの一側に挿入されて連結され、光ケーブルアダプタの他側に照度用光ケーブルが連結されて構成される。
【００１９】
本発明による本体の内部の底面には、外部から冷たい空気を流入して循環させる冷却ファン１３０が構成され、その冷却ファンの一側にＳＭＰＳ１２０（Ｓｗｉｔｃｈｉｎｇ  Ｍｏｄｅ  Ｐｏｗｅｒ  Ｓｕｐｐｌｙ）が構成される。
【００２０】
ここで、ＳＭＰＳは、外部から供給される交流（ＡＣ）電流を直流（ＤＣ）電流に、ＬＥＤモジュールの駆動条件に合わせて変換させる装置であって、高輝度の発光ＬＥＤに５Ｖの電源を一定に供給する。
【００２１】
次に、本発明によるＬＥＤモジュール２００について説明する。
【００２２】
前記ＬＥＤモジュール２００は、光源を発生させるもので、これは、図３に示すように、高輝度の発光ＬＥＤ２１０と、高輝度の発光ＬＥＤから発生する高熱を放熱させるメタルＰＣＢ２２０と、で構成される。
【００２３】
そして、メタルＰＣＢ２２０上には、ＰＷＭ方式で駆動されて、高輝度の発光ＬＥＤに一定の電流を供給する定電流部と、ＳＭＰＳから出力されるＳＭＰＳの定電圧をコントロールして、高輝度の発光ＬＥＤに電圧を安定に供給する定電圧制御部２２０ｂと、からなる回路が構成される。
【００２４】
前記メタルＰＣＢ２２０は、前面に高輝度の発光ＬＥＤが挿入されるように挿入孔と共にＧＥ（Ｇｌａｓｓ  Ｅｐｏｘｙ）ＰＣＢが形成され、該ＧＥ  ＰＣＢの下端にゴム材質の絶縁パッドが形成され、該絶縁パッドの下端にアルミニウム放熱板が形成される。
【００２５】
また、本発明によるメタルＰＣＢ２２０は、内部に冷却水管１１０ａが形成されて、冷却水によって、メタルＰＣＢからの放熱後に残った熱を冷却させる。
【００２６】
このように、高輝度の発光ＬＥＤの下端に、ゴム材質の絶縁パッド及びアルミニウム放熱板が形成されたメタルＰＣＢが構成され、メタルＰＣＢの内部に冷却水管１１０ａが構成されることで、熱特性に弱いＬＥＤの寿命を延長させることができると共に、熱による機器の誤作動を防止することができる。
【００２７】
本発明によるＬＥＤモジュールは、マルチ光ファイバが接触される部位にＬＥＤ集光ヘッドキャップ２３０が構成される。
【００２８】
前記ＬＥＤ集光ヘッドキャップ２３０は、高輝度の発光ＬＥＤが発光する先端周縁に沿って取り囲みながら設置されて、周囲へ反射される光を、中央に形成された挿入孔に集め、集められた光を、挿入孔に挿入されるマルチ光ファイバの挿入チューブ側に伝達させるよう誘導すると共に、挿入チューブが揺れないように支持する役割を果たす。
【００２９】
前記ＬＥＤ集光ヘッドキャップは、マルチ光ファイバの挿入チューブが連結される挿入孔の周縁がアルミニウム材質からなり、残りの部位はゴム材質からなる。
【００３０】
次に、本発明によるマルチ光ファイバ３００について説明する。
【００３１】
前記マルチ光ファイバ３００は、ＬＥＤモジュールの発光素子に一対一に直接連結されて、複数個のＬＥＤから出る光を光ケーブルアダプタに伝達するもので、これは、透明度の良いガラスからなる。
【００３２】
本発明によるマルチ光ファイバは、中央にコア（ｃｏｒｅ）が形成され、該コアの周囲に沿ってクラッディング（ｃｌａｄｄｉｎｇ）が被覆しながら、二重の円柱形状に形成される。
【００３３】
そして、クラッディングの外部表面には、外部の衝撃から保護するために合成樹脂を１〜２回保護被覆して被せる。
【００３４】
本発明によるマルチ光ファイバ３００は、保護被覆を除外した全体大きさが、直径１０〜５００μｍ（１μｍは１／１０００ｍｍ）からなる単一モード光ファイバまたは多重モード光ファイバで構成され、クラッディング部分の屈折率をコア部分の屈折率よりも高く構成して、光がコア部分に集束されて、光ケーブルアダプタ側によく通り抜けるように構成される。
【００３５】
このように構成された本発明によるマルチ光ファイバは、外部の電磁波による干渉や混信がなく、小型且つ軽量で屈曲にも強い特性を有する。
【００３６】
また、本発明によるマルチ光ファイバ３００は、ＬＥＤモジュールのＬＥＤ集光ヘッドキャップと接触する端部一側に、ＬＥＤ集光ヘッドキャップの挿入孔に挿入されるように、円形状の挿入チューブ３１０が形成される。
【００３７】
ここで、円形状の挿入チューブ３１０は、マルチ光ファイバとＬＥＤモジュールの高輝度の発光ＬＥＤを一対一に直接連結させる接続の役割を果たすもので、これは、高輝度の発光ＬＥＤから出る光と接触する内部表面がガラス材質からなり、残りの外部表面がシリコンまたはゴム材質からなる。
【００３８】
次に、本発明による光ケーブルアダプタ４００について説明する。
【００３９】
前記光ケーブルアダプタ４００は、一側が複数個のマルチ光ファイバと連結され、他側が照度用光ケーブルと連結されて、マルチ光ケーブルから出る複数個の光を集めて照度用光ケーブルに伝達するもので、これは、図２に示したように、四角箱状に形成される。
【００４０】
本発明による光ケーブルアダプタ４００は、マルチ光ファイバ連結ソケットと、照度用光ケーブル接続部と、で構成される。
【００４１】
前記マルチ光ファイバ連結ソケットは、マルチ光ファイバと連結されるように、複数個の連結ソケットが形成される。
【００４２】
前記照度用光ケーブル接続部は、嵌合構造で形成されて、マルチ光ファイバ連結ソケットを介して伝達されたマルチ光ケーブルの複数個の光を、照度用光ケーブルに伝達する役割を果たす。
【００４３】
次に、本発明による照度用光ケーブル５００について説明する。
【００４４】
前記照度用光ケーブル５００は、光ケーブルアダプタと連結されて、光ケーブルアダプタから光を受けて１つの光に集めた後、集光レンズに送るもので、これは、内部に、全体大きさが直径１０〜８０μｍからなる単一モード光ファイバが複数個で撚られた形状を有する多重モード光ファイバを含んで構成される。
【００４５】
そして、撚られた形状の多重モード光ファイバの外部表面には、外部の衝撃から保護するために合成樹脂を１〜２回保護被覆して被せる。
【００４６】
本発明による照度用光ケーブル５００は、１０ｃｍ〜１，０００ｃｍの長さを持つように構成される。
【００４７】
次に、本発明による集光レンズ調整部６００について説明する。
【００４８】
前記集光レンズ調整部は、照度用光ケーブルの先端と長さ方向に沿って同一線上に離隔距離を置いて設けられ、集光レンズ６２３を通じて、照度用光ケーブルから拡散する光を集光し、発光させようとする特定位置に焦点を生成させ、集光レンズ６２３のフォーカス及びズーム調整を通じて焦点角度を調節するもので、これは、に示したように、集光レンズカバー部６１０と、集光レンズ６２３が収容される集光レンズハウジング６２０と、で構成される。
【００４９】
前記集光レンズカバー部６１０は、集光レンズ調整部の構成要素が収納及び設置される空間であって、前、後方が開放された円筒形状に形成されてなる。
【００５０】
これは、図６に示したように、円筒形状のボディー外部と内部とに分れて構成される。
【００５１】
前記円筒形状のボディー外部には、前方から後方に、前方カバー６１１、フォーカス調節リング６１２、ズーム調節リング６１３、後方カバー６１４が一列に並んで構成される。
【００５２】
そして、円筒形状のボディー内部には、集光レンズハウジング６２０が構成される。
【００５３】
また、前方カバー６１１、フォーカス調節リング６１２、ズーム調節リング６１３、後方カバー６１４の間には、それぞれオーリングが密閉して構成される。
【００５４】
前記円筒形状のボディー６１０ａの表面には、フォーカス調節リングとズーム調節リングが位置した個所に、複数個のネジ山６１０ａ−１が形成され、該ネジ山に沿ってフォーカス調節リングとズーム調節リングが前進及び後進をしながら回転して、フォーカス及びズーム調整を行う。
【００５５】
前記フォーカス調節リング６１２は、前記集光レンズカバー部６１０の外周面に結合されて、前記集光レンズハウジングのフォーカス調節部を調節するためのもので、これは、集光レンズカバー６１０の外周面に結合され回転可能なように、前記集光レンズカバー部６１０の外周面の周縁に対応する大きさの円形リング状に形成され、その内周面には、フォーカス調節リングの第１案内孔を通じて、前記集光レンズハウジングの外部に突出したフォーカス調節ロッド６１２ａが結合されるように、凹状の結合溝６１２−１が形成される。
【００５６】
前記フォーカス調節ロッド６１２ａは、その下端に集光レンズ６２３が連結され、上端方向から集光レンズ６２３を支持する役割を果たす。
【００５７】
そして、フォーカス調節リング６１２は、第１案内孔に形成された凹状の結合溝にフォーカス調節ロッドを結合させて、集光レンズカバー部６１０の外周面に形成されたネジ山に沿って回転しながら、前進及び後進をし、これによって集光レンズ６２３から生成された焦点を調節する。
【００５８】
前記ズーム調節リング６１３は、前記集光レンズカバー部のフォーカス調節リングの一側外周面に結合されて、前記集光レンズハウジングのズーム調節部を調節するためのもので、前記集光レンズカバー部の外周面に結合されて回転可能なように、前記集光レンズカバー部の外周面の周縁に対応する大きさの円形リング状に形成され、その内周面には、前記集光レンズハウジングの第２案内孔を通じて、前記集光レンズハウジングの外部に突出したズーム調節ロッドが結合されるように、凹状の結合溝が形成される。
【００５９】
前記ズーム調節ロッド６１３ａは、その下端に円筒ドラム型の水平移動部６２２が連結されて構成される。
【００６０】
前記集光レンズハウジング６２０は、照度用光ケーブルから拡散する光を集光し、発光させようとする特定位置に焦点を生成させるもので、これは、フォーカス調節部６２１と、円筒ドラム型の水平移動部６２２と、で構成される。
【００６１】
前記フォーカス調節部６２１は、前記集光レンズ６２３の焦点を調節するための手段であって、焦点は、集光レンズ６２３を通じて、照度用光ケーブルから拡散する光を集光し、発光させようとする特定位置に生成するもので、これは、前進または後進するように回転させると、前記集光レンズが前方または後方に位置移動することで、集光レンズの口径が拡大または縮小して、焦点の像がぼけたり鮮明に調節される。
【００６２】
前記円筒ドラム型の水平移動部６２２は、ズームの機能をするもので、これは、ズーム調節ロッドの回転によって水平方向に前進及び後進しながら、一側に連結されたフォーカス調節部自体を前進及び後進させて、焦点の大きさが拡大または縮小するように調節する役割を果たす。
【００６３】
これは、上端部にズーム調節ロッドが結合され、一側にフォーカス調節部が連結されて構成される。
【００６４】
本発明による円筒ドラム型の水平移動部は、両側が貫通した円筒ドラムの形状に形成されて、照度用光ケーブルの先端と離隔距離を維持しながら、水平方向に前進及び後進させて、集光レンズ６２３を通じて生成された焦点の大きさが拡大または縮小されるように調節する。
【００６５】
ここで、円筒ドラム型の水平移動部と照度用光ケーブルの先端との離隔距離は、１．５ｃｍ〜２０ｃｍで設定する。
【００６６】
その理由は、１．５ｃｍ以下では、照度用光ケーブルの先端と近すぎて、集光レンズを通じた光が周囲に広がって焦点生成がうまくいかないという問題点があり、２０ｃｍ以上では、照度用光ケーブルの先端と離隔距離が遠くなり、集光レンズを通じた焦点が特定位置ではない他の位置に生成されて、所望の位置での焦点生成が難しいという問題点が生じるため、円筒ドラム型の水平移動部と照度用光ケーブルの先端との離隔距離は、１．５ｃｍ〜２０ｃｍに設定するのが最も望ましい。
【００６７】
以下、本発明によるマルチ光ケーブルを用いるＬＥＤ集光装置の具体的な動作過程について説明する。
【００６８】
まず、複数個のＬＥＤモジュール２００から光源を発生させる。
【００６９】
この時、高輝度の発光ＬＥＤから発生する高熱を放熱させるメタルＰＣＢ２２０で１次放熱させる。
【００７０】
そして、メタルＰＣＢの内部に構成された冷却水管１１０ａを通じて、メタルＰＣＢ２２０からの１次放熱後に残った熱を２次放熱させる。
【００７１】
次に、ＬＥＤモジュールの発光素子に一対一に直接連結されたマルチ光ファイバ３００を介して、複数個の高輝度の発光ＬＥＤから出る光を光ケーブルアダプタに伝達する。
【００７２】
次に、光ケーブルアダプタを通じて、マルチ光ケーブルから出る複数個の光を集めて、照度用光ケーブルに伝達する。
【００７３】
次に、集光レンズ調節部は、照度用光ケーブルの先端と長さ方向に沿って同一線上に離隔距離を置いて設けられ、集光レンズ６２３を通じて、照度用光ケーブルから拡散する光を集光し、発光させようとする特定位置に焦点を生成させ、集光レンズ６２３のフォーカス及びズーム調整を通じて焦点角度を調節する。
【００７４】
以下、本発明によるマルチ光ケーブルを用いるＬＥＤ集光装置の入力対比出力光量を実験を通じて説明する。
【００７５】
図８は、本発明による光ケーブルアダプタと連結されて、光ケーブルアダプタから光を受けて１つの光に集めた後に集光レンズに送る、照度用光ケーブル５００が連結されることを示す一実施例図である。
【００７６】
ここで、マルチ光ファイバ側に発光されるＬＥＤモジュールは４個で構成され、これは、１１．８Ｗの出力電力、４Ｗのアクリチ（Ａｃｒｉｃｈｅ）を有すると仮定する。
【００７７】
そして、第１マルチ光ファイバはΦ４×１ｍ、第２マルチ光ファイバはΦ４×２ｍ、第３マルチ光ファイバはΦ４×３ｍ、第４マルチ光ファイバはΦ４×４ｍで構成される。
【００７８】
また、照度用光ケーブルはΦ１４×１０ｃｍで構成される。
【００７９】
実験過程は、図８に示されたマルチ光ファイバ８個のうち、４個のみがテストに使用され、４個のマルチ光ファイバは長さがそれぞれ異なるように構成する。
【００８０】
まず、ＬＥＤモジュールから出力される光を受けた、長さがそれぞれ異なる４個のマルチ光ファイバの光量を測定すると、次の表１の通りである。
【００８１】
【表１】
2013506230.tif 000003
【００８２】
次に、順次マルチ光ファイバを合わせて、照度用光ケーブルの端部に出力される光量を測定すると、次の表２の通りである。
【００８３】
【表２】
2013506230.tif 000004
【００８４】
結論を言えば、マルチ光ファイバの利用時、照度用光ケーブルから出力される光量は、マルチ光ファイバ数に比例して増加し、４個のマルチ光ファイバを利用すると、入力対比約８０〜８５％の出力を得ることができ、マルチ光ファイバの長さに対する光量測定の時、１ｍでは光の光量損失（ｌｏｓｓ）が２％未満となった。
【００８５】
このような特性を用いることで、本発明によるマルチ光ケーブルを用いるＬＥＤ集光装置は、図１０に示したように、博物館の照明、プールの照明、建物外壁の照明、床照明、橋梁外部の照明、半導体工程用の照明、病院の手術用の照明として設置可能である。
【符号の説明】
【００８６】
１００    本体
２００    ＬＥＤモジュール
３００    マルチ光ファイバ
４００    光ケーブルアダプタ
５００    照度用光ケーブル
６００    集光レンズ調整部
【図１】
2013506230.tif 000005
【図２】
2013506230.tif 000006
【図３】
2013506230.tif 000007
【図４】
2013506230.tif 000008
【図５】
2013506230.tif 000009
【図６】
2013506230.tif 000010
【図７】
2013506230.tif 000011
【図８】
2013506230.tif 000012
【図９】
2013506230.tif 000013
【図１０】
2013506230.tif 000014
【国際調査報告】
2013506230.tif 000015
2013506230.tif 000016
2013506230.tif 000017
2013506230.tif 000018